(57)【特許請求の範囲】
【請求項１】
便器の上面後方に設置される本体と、
前記本体の前面に倒立自在に枢支された便座と、
前記本体に設けられ、前記便座に着座した使用者のお尻と女性の局部に向けて洗浄水を噴出するお尻洗浄機能とビデ洗浄機能を有する洗浄手段と、
前記洗浄手段による洗浄水で濡れた状態のお尻と女性の局部を乾燥風で乾燥する乾燥装置と、
前記洗浄手段と前記乾燥装置を操作する操作部と、
前記操作部の操作信号により、前記洗浄手段と前記乾燥装置とを制御する制御部とを含み、
前記乾燥装置は、濡れた状態のお尻である第１の被乾燥範囲と、濡れた状態の女性の局部である第２の被乾燥範囲に向けて、前記乾燥風の噴出方向を変更する風向変更手段を備え、
前記洗浄手段でお尻洗浄を行った後に、使用者が前記操作部で乾燥の操作を行った場合、前記制御部は前記第１の被乾燥範囲に向けて乾燥風を噴出するように、前記風向変更手段を制御し、
前記洗浄手段でビデ洗浄を行った後に、使用者が前記操作部で乾燥の操作を行った場合、前記制御部は前記第２の被乾燥範囲に向けて乾燥風を噴出するように、前記風向変更手段を制御し、
前記洗浄手段でお尻洗浄またはビデ洗浄を行った後に、引き続き所定時間以内に他方の洗浄を開始し、両方の洗浄が終了した後に、使用者が前記操作部で乾燥の操作を行った場合、前記制御部は前記第１の被乾燥範囲と前記第２の被乾燥範囲に乾燥風の噴出し方向を周期的に変化するように前記風向変更手段を制御することを特徴とする衛生洗浄装置。
【請求項２】
前記操作部は、前記風向変更手段の風向を調整する調整スイッチを備え、
使用者が前記調整スイッチを操作することにより、乾燥風の噴出方向を任意に変更可能な請求項１に記載の衛生洗浄装置。
【発明の詳細な説明】
【技術分野】
【０００１】
本発明は乾燥装置を備えた衛生洗浄装置に関するものである。
【背景技術】
【０００２】
従来、この種の衛生洗浄装置は、便器上に設置した衛生洗浄装置本体の中央部に使用者の使用者の肛門と女性の局部を洗浄する洗浄ノズルを設置し、洗浄ノズルの側方に、洗浄水で濡れた肛門と女性の局部を温風で乾燥する乾燥装置を配置している。乾燥装置の通風路の吹出口の近傍にフィンを配設して、フィンの角度を変更することにより温風の風向を変更できる構成としている。
【０００３】
風向き変更の機能は主に温風の吹き出し範囲を広げる目的で使用しており、乾燥装置の被乾燥対象は、洗浄により濡れた使用者の肛門または女性の局部の２箇所であるが、従来の衛生洗浄装置においては、２箇所の被乾燥対象に同時に大量の温風を噴出するようにしている（例えば、特許文献１参照）。
【０００４】
図１２は、特許文献１に記載された従来の衛生洗浄装置を示すものである。図１２に示すように、衛生洗浄装置の本体１の中央部に２本の洗浄ノズル２が設置してあり、前記洗浄ノズル２の側方に乾燥装置３が設置してある。乾燥装置３はファンケーシング４と、シロッコファンからなるファンモータ５と、電熱ヒータ（図示せず）と、ファンケーシング４の吹出口近傍の通風路に配設した複数のフィン６と、フィン６の角度を変更する駆動モータ７から構成されており、駆動モータ７でフィン６の角度を変更することにより温風の吹出方向を変更するようになっている。
【先行技術文献】
【特許文献】
【０００５】
【特許文献１】特開平８−１８４０８８号公報
【発明の概要】
【発明が解決しようとする課題】
【０００６】
しかしながら、前記従来の構成および作用においては、肛門と女性の局部の２箇所の被乾燥対象に対し、常に両方に温風を噴出するものである。洗浄により一方の被乾燥対象は濡れているが、他方の被乾燥対象は乾燥した状態であり、状態の異なる被乾燥対象に同じように温風を噴出した場合、乾燥した状態の被乾燥対象は熱く感じ不快感を伴うこととなる。また、このような不快感を低減するために、一箇所に温風が連続して当たることを避けるために風向きを周期的に変更している。
【０００７】
従来の衛生洗浄装置は、結果的に必要以上の広い範囲に温風を送風しており、エネルギー効率と乾燥効率の面から改良の余地があった。
【０００８】
本発明は、前記従来の課題を解決するもので、お尻洗浄またはビデ洗浄で濡れたそれぞれの被乾燥対象のみに集中的に温風を自動的に供給することにより、乾燥の効率と使い勝手を向上した快適な衛生洗浄装置を提供することを目的とする。
【課題を解決するための手段】
【０００９】
前記従来の課題を解決するために、本発明の衛生洗浄装置は、便器の上面後方に設置される本体と、本体の前面に倒立自在に枢支された便座と、本体に設けられ、便座に着座した使用者のお尻と女性の局部に向けて洗浄水を噴出するお尻洗浄機能とビデ洗浄機能を有する洗浄手段と、洗浄手段による洗浄水で濡れた状態のお尻と女性の局部を乾燥風で乾燥する乾燥装置と、洗浄手段と乾燥装置を操作する操作部と、操作部の操作信号により、洗浄手段と乾燥装置とを制御する制御部とを含み、乾燥装置は、濡れた状態のお尻である第１の被乾燥範囲と、濡れた状態の女性の局部である第２の被乾燥範囲に向けて、乾燥風の噴出方向を変更する風向変更手段を備え、洗浄手段でお尻洗浄を行った後に、使用者が操作部で乾燥の操作を行った場合、制御部は第１の被乾燥範囲に向けて乾燥風を噴出するように、風向変更手段を制御し、洗浄手段でビデ洗浄を行った後に、使用者が操作部で乾燥の操作を行った場合、制御部は第２の被乾燥範囲に向けて乾燥風を噴出するように、風向変更手段を制御し、洗浄手段でお尻洗浄またはビデ洗浄を行った後に、引き続き所定時間以内に他方の洗浄を開始し、両方の洗浄が終了した後に、使用者が操作部で乾燥の操作を行った場合、制御部は第１の被乾燥範囲と第２の被乾燥範囲に乾燥風の噴出し方向を周期的に変化するように前記風向変更手段を制御するものである。
【００１０】
これにより、お尻洗浄とビデ洗浄により洗浄水により濡れる範囲が異なることに対応して、乾燥すべき被乾燥範囲に集中して乾燥風を噴出することを自動的に実施することができ、短時間に効率的に乾燥を行うことができるとともに、省エネルギーの効果を得ることができる。また、濡れていない部分に乾燥風が当たることを抑制することができるので、快適な使用感を得ることができる。また、お尻洗浄またはビデ洗浄を行った後に他方の洗浄を開始した場合、お尻洗浄とビデ洗浄で濡れた広い範囲を自動的に均等に乾燥することができるので、使い勝手を一層向上することができる。
【発明の効果】
【００１１】
本発明の衛生洗浄装置は、乾燥装置の乾燥性能と使用感を向上することができる。
【図面の簡単な説明】
【００１２】
【図１】本発明の実施の形態１における衛生洗浄装置を便器上に設置した状態の外観を示す斜視図
【図２】本発明の実施の形態１における衛生洗浄装置の本体のカバーをはずした状態の平面図
【図３】本発明の実施の形態１における乾燥装置の外観を示す斜視図
【図４】本発明の実施の形態１における乾燥装置を側方から見た断面図
【図５】本発明の実施の形態１における乾燥装置の内部を示す平面図
【図６】本発明の実施の形態１における風向変更柱付近の温風の流れを示す模式図
【図７】本発明の実施の形態１における衛生洗浄装置の温風の流れを示す模式図
【図８】本発明の実施の形態２における乾燥装置の外観を示す斜視図
【図９】本発明の実施の形態２における乾燥装置の可動ノズルが進出した状態の断面図
【図１０】本発明の実施の形態２における乾燥装置の可動ノズルが後退した状態の断面図
【図１１】本発明の実施の形態３におけるノズルユニットの外観を示す斜視図
【図１２】従来の衛生洗浄装置の平面図
【発明を実施するための形態】
【００１３】
第１の発明は、便器の上面後方に設置される本体と、前記本体の前面に倒立自在に枢支された便座と、前記本体に設けられ、前記便座に着座した使用者のお尻と女性の局部に向けて洗浄水を噴出するお尻洗浄機能とビデ洗浄機能を有する洗浄手段と、前記洗浄手段による洗浄水で濡れた状態のお尻と女性の局部を乾燥風で乾燥する乾燥装置と、前記洗浄手
段と前記乾燥装置を操作する操作部と、前記操作部の操作信号により、前記洗浄手段と前記乾燥装置とを制御する制御部とを含み、前記乾燥装置は、濡れた状態のお尻である第１の被乾燥範囲と、濡れた状態の女性の局部である第２の被乾燥範囲に向けて、前記乾燥風の噴出方向を変更する風向変更手段を備え、前記洗浄手段でお尻洗浄を行った後に、使用者が前記操作部で乾燥の操作を行った場合、前記制御部は前記第１の被乾燥範囲に向けて乾燥風を噴出するように、前記風向変更手段を制御し、前記洗浄手段でビデ洗浄を行った後に、使用者が前記操作部で乾燥の操作を行った場合、前記制御部は前記第２の被乾燥範囲に向けて乾燥風を噴出するように、前記風向変更手段を制御し、前記洗浄手段でお尻洗浄またはビデ洗浄を行った後に、引き続き所定時間以内に他方の洗浄を開始し、両方の洗浄が終了した後に、使用者が前記操作部で乾燥の操作を行った場合、前記制御部は前記第１の被乾燥範囲と前記第２の被乾燥範囲に乾燥風の噴出し方向を周期的に変化するように前記風向変更手段を制御するものである。
【００１４】
これにより、お尻洗浄とビデ洗浄により洗浄水により濡れる範囲が異なることに対応して、乾燥すべき被乾燥範囲に集中して乾燥風を噴出することを自動的に実施することができ、短時間に効率的に乾燥を行うことができるとともに、省エネルギーの効果を得ることができる。また、濡れていない部分に乾燥風が当たることを抑制することができるので、快適な使用感を得ることができる。また、お尻洗浄またはビデ洗浄を行った後に他方の洗浄を開始した場合、お尻洗浄とビデ洗浄で濡れた広い範囲を自動的に均等に乾燥することができるので、使い勝手を一層向上することができる。
【００１５】
第２の発明は、特に第１の発明において、前記操作部は、前記風向変更手段の風向を調整する調整スイッチを備え、使用者が前記調整スイッチを操作することにより、乾燥風の噴出方向を任意に変更可能としたものである。
【００１６】
これにより、使用者の体形や好みにより、乾燥風の噴出方向を任意の方向に微調整することができ、より乾燥効率と使い勝手を向上することができる。
【００１７】
以下、本発明の実施の形態について、図面を参照しながら説明する。なお、この実施の形態によって本発明が限定されるものではない。
【００１８】
（実施の形態１）
図１は本実施の形態における衛生洗浄装置を便器上に設置した状態の外観の斜視図を示し、図２は衛生洗浄装置の本体のカバーをはずした状態の平面図を示し、図３は本発明の実施の形態１における乾燥装置の外観の斜視図を示すものである。
【００１９】
＜１−１＞衛生洗浄装置の構成
図１に示すように、衛生洗浄装置１００は、本体２００、便蓋３００、便座４００により構成され、本体２００、便蓋３００、便座４００は一体で構成され便器６００の上面に設置される。
【００２０】
本体２００には、便蓋３００および便座４００が便座便蓋回動機構（図示せず）を介して開閉可能に取り付けられている。図１に示すように便蓋３００を開放した状態においては、便蓋３００は衛生洗浄装置１００の最後部に位置するように起立する。また、便蓋３００を閉成すると便座４００の上面を隠蔽する。便座４００は便座ヒータ（図示せず）を内蔵しており、便座の着座面が快適な温度になるように加熱する。
【００２１】
なお、本実施の形態においては衛生洗浄装置１００の本体２００の設置側を後方、便座４００の設置側を前方として各要素の配置を説明する。
【００２２】
また図１に示すように、本体２００の側部には突出部２０１が設けてあり、突出部２０１の上面には複数の操作スイッチ２０２を備えた操作部２０３が設けられている。また本体２００の前面コーナー部には着座センサ２０４が設置してある。この着座センサ２０４は反射型の赤外線センサであり、センサから赤外線を放射し、人体で反射した赤外線を検出することにより、便座４００に着座した使用者を検知する。
【００２３】
図２は本体２００のカバーを取り外した状態を示すものであり、本体２００の内部には、本体２００の中央部には洗浄ノズルユニット１０３が設置してあり、本体２００の一方の側部には、洗浄水供給機構１０１と熱交換器１０２等が設置してある。また、本体２００の他方の側部には乾燥装置７００と脱臭装置８００と制御部９００等が設置してある。
【００２４】
洗浄手段は洗浄水供給機構１０１と熱交換器１０２と洗浄ノズルユニット１０３とで構成している。洗浄水供給機構１０１と熱交換器１０２は洗浄ノズルユニット１０３に接続されており、水道配管から供給される洗浄水を熱交換器１０２で加熱した温水を洗浄ノズルユニット１０３に供給し、洗浄ノズルユニット１０３から使用者の局部に向けて温水を噴出し、使用者の局部を洗浄するものである。
【００２５】
洗浄ノズルユニット１０３は、お尻を洗浄するお尻洗浄ノズル部と女性の局部を洗浄するビデノズル部を有する洗浄ノズル１０４と、洗浄ノズルを本体２００内に収容した収納位置と本体２００から突出して洗浄動作を行う洗浄位置との間を進退移動する駆動手段（図示せず）と、熱交換器１０２からの洗浄水を洗浄ノズルに切換えて供給する切換弁（図示せず）等が一体に組み込まれている。そのため、洗浄ノズルユニット１０３の先端部（前方）は幅が狭いが後方部幅が広くなっている。そして、洗浄ノズルユニット１０３は、使用者の局部洗浄を正確に行うために本体２００内部の中央に配置されている。
【００２６】
お尻洗浄ノズル部とビデ洗浄ノズル部はそれぞれ専用の噴出口を備えており、制御部９００は、それぞれの噴出口から噴出した洗浄水がお尻と女性の局部を最適に洗浄できるお尻洗浄位置とビデ洗浄位置へ進出駆動するように駆動手段を制御する。ビデ洗浄位置はお尻洗浄位置より約１５ｍｍ前方に設定している。
【００２７】
乾燥装置７００は、洗浄ノズルユニット１０３に近接して設置されている。乾燥装置７００の噴出口７０６は、洗浄ノズルユニット１０３と同様に使用者の局部を効果的に乾燥するため可能な限り本体２００の中央に配置することが望ましく、洗浄ノズルユニット１０３の横幅に対応して、ケーシングの前方を中央に向けて湾曲させた形状を成している。
【００２８】
乾燥装置７００の後方には制御部９００が、側方には脱臭装置８００が設置されている。脱臭装置８００は、便器６００内の臭気を吸引するために、吸込口８０１を本体２００の中央に向けて湾曲させて設けてある。
【００２９】
制御部９００は、衛生洗浄装置１００の各機能の操作を行う操作スイッチ２０２および着座センサ２０４から送信される信号に基づいて、衛生洗浄装置１００の各部の動作を制御する。
【００３０】
＜１−２＞乾燥装置の構成
図３は本実施の形態１における乾燥装置の外観を示す斜視図であり、図４は乾燥装置の側方から見た断面図であり、図５は乾燥装置の内部構造を示す平面図であり、図６は風向変更柱付近の温風の流れを示す模式図であり、図７は本実施の形態における衛生洗浄装置の温風の流れを示す模式図である。
【００３１】
図３、図４、図５に示すように、乾燥装置７００は、内部に風路を形成するケーシング
７０１と、ファンモータ７０２と、ヒータユニット７０３と、風向変更ユニット７１０と、乾燥シャッター７０８を主な構成部材として構成されている。
【００３２】
ケーシング７０１は難燃性樹脂で成型した上ケース７０１ａと下ケース７０１ｂを上下に結合して内部にトンネル状の空洞部を形成しており、後端は略正方形の吸気口７０５が開口しており、前端は略長方形の噴出口７０６が開口している。ケーシング７０１の吸気口７０５は衛生洗浄装置１００の本体２００内に配置し、噴出口７０６は本体２００の前面下部に配置されている。
【００３３】
図３、図４に示すように、乾燥装置７００の噴出口７０６には開閉自在な乾燥シャッター７０８を備えており、乾燥装置７００を使用しないときは、乾燥シャッター７０８は閉成して排便時の汚物や洗浄水が噴出口７０６に直接かからない構成となっており、乾燥装置７００の使用時には風圧により開放される構成となっている。また、乾燥シャッター７０８は汚れが付着した時には洗浄ができるよう、着脱可能な構成となっている。
【００３４】
図に示すように、ケーシング７０１の内部には、吸気口７０５側からファンモータ７０２と、ヒータユニット７０３と、風向変更ユニット７１０とが順次配置されている。ケーシング７０１で形成される風路はファンモータ７０２の設置位置より噴出口７０６側は断面積が順次減少するように形成されている。
【００３５】
図４に示すように、立面的にはファンモータ７０２の設置位置より噴出口７０６側は、下方に向かって傾斜して噴出口７０６の直近で略水平となる風路を形成している。また、図５に示すように、平面的にはヒータユニット７０３の設置位置より噴出口７０６側は、本体２００の側方より中央に向かって湾曲した湾曲部７０７を形成しており、風向変更ユニト７１０は湾曲部７０７に設置されている。
【００３６】
ケーシング７０１の吸気口７０５に近接して軸流式のファンモータ７０２が配置してある。ファンモータ７０２は、上ケース７０１ａと下ケース７０１ｂで水平に挟持されている。上ケース７０１ａと下ケース７０１ｂは共にファンモータ７０２の設置位置より噴出口７０６側で下方に向かって折り曲がっており、特に上ケース７０１ａの方が下ケース７０１ｂよりも大きく折り曲がっている。下ケース７０１ｂのファンモータ７０２の設置位置の底面は、噴出口７０６の上端よりも上側に位置する構成になっている。
【００３７】
折り曲がった上ケース７０１ａと下ケース７０１ｂの間にヒータユニット７０３が設置してある。ヒータユニット７０３はファンモータ７０２側の開口面積の方が噴出口７０６側より大きくなっている。
【００３８】
下ケース７０１ｂの湾曲部７０７には、４本の直径約２ｍｍの風向変更柱７０４を約６ｍｍの等間隔で平板状の基盤７０９に一体に設けた風向変更柱ユニット７１０を形成し、下ケース７０１ｂの下側にモータ（図示せず）と減速機構（図示せず）と回転角度検出手段（図示せず）を備えた回動機構７１１設置し、下ケース７０１ｂに設けた開口（図示せず）を介して風向変更ユニット７１０の回動軸（図示せず）を回動機構７１１に締結し、回動機構７１１により風向変更ユニット７１０回動することで風向変更柱７０４の角度を変更することが可能な構成としている。これにより、制御部９００で回動機構７１１を制御することにより温風の噴出方向を自在に変更することを可能とした。
【００３９】
ヒータユニット７０３は、加熱手段である約４００Ｗのヒータ線（図示せず）と、１１０℃で動作する温度ヒューズ７０３ａと、８６℃で動作するサーモスタットで構成されており、外郭をカバーマイカ７０３ｃで覆われている。
【００４０】
螺旋状に形成したヒータ線（図示せず）はカバーマイカ７０３ｃの内部の外周近傍に配置されており、ヒータ線（図示せず）の螺旋の中央部には、ファンモータ７０２に近い位置となる後方に温度ヒューズ７０３ａを、前方にサーモスタット７０３ｂが配置してある。ヒータ線（図示せず）と温度ヒューズ７０３ａとサーモスタット７０３ｂは電気的に直列に接続されている。
【００４１】
温度ヒューズ７０３ａとサーモスタット７０３ｂは内部の温度が異常に上昇するのを防止する温度過昇防止手段である。ファンモータ７０２が故障してロック状態となった場合等で異常上昇が発生した場合、第１のステップとして復帰型の温度過昇防止手段であるサーモスタット７０３ｂが先に作動してヒータへの通電を遮断するが、例えば、サーモスタット７０３ｂの故障等で作動しない場合には、第２ステップとして非復帰型の温度ヒューズ７０３ａが溶断してヒータ線（図示せず）への通電を遮断することにより、発煙や発火が発生しないようになっている。
【００４２】
以上のように構成された衛生洗浄装置について、以下その動作、作用を説明する。
【００４３】
使用者がトイレ室に入室し、着座センサ２０４が便座４００に着座した使用者を検知すると、操作スイッチ２０１により洗浄機能と乾燥機能の操作が可能となる。
【００４４】
使用者が用便終了後に、操作スイッチ２０２によりお尻洗浄の洗浄操作を行うことにより、洗浄ノズル１０４が本体２００より進出し、洗浄水を噴出することにより使用者のお尻を洗浄し、洗浄終了の操作により局部の洗浄は終了し、洗浄ノズル１０４は本体２００内に収納される。
【００４５】
次に、操作スイッチ２０２により乾燥操作を行うと、制御部９００は乾燥装置７００のファンモータ７０２とヒータユニット７０３への通電を制御し乾燥動作を開始する。ファンモータ７０２が吸気口７０１より吸気した空気はヒータユニット７０３へ送風され、ヒータユニット７０３で加熱された温風は噴出口７０６より噴出され、洗浄で濡れた使用者のお尻を乾燥する。
【００４６】
このとき、制御部９００は予め設定した制御条件により、風向変更ユニット７１０の風向変更柱７０４が噴出口７０６に対して約３０度の角度を成すように回動機構７１１の回転角度検出手段の信号により角度を制御し、噴出口７０６より噴出した温風は、図７に示すように便座４００の開口後端からの距離が約６５ｍｍから約２５ｍｍで幅は約３０ｍｍの範囲となる濡れた状態のお尻の位置に対応する第１の被乾燥範囲Ａに向けて温風を噴出する。
【００４７】
一方、使用者が、洗浄ノズル１０４のビデ洗浄ノズル部を使用するビデ洗浄を終了した後、操作スイッチ２０２により乾燥操作を行うと、制御部９００は予め設定した制御条件により、風向変更ユニット７１０の風向変更柱７０４が噴出口７０６に対して約２９度の角度を成すように回動機構７１１の回転角度検出手段の信号により角度を制御し、噴出口７０６より噴出した温風は、第１の被乾燥範囲Ａより約１５ｍｍ前方となる便座４００の孔後端からの距離が約８０ｍｍから約２５ｍｍで幅は約３０ｍｍの範囲となる濡れた状態の女性の局部の位置に対応する第２の被乾燥範囲Ｂに向けて温風を噴出する。
【００４８】
また、使用者がお尻洗浄またはビデ洗浄を終了した後、所定時間以内（本実施の形態においては５秒間）に連続してもう一方の洗浄を開始し、お尻洗浄またはビデ洗浄を連続して行った後に、操作スイッチ２０１により乾燥操作を行うと、制御部９００は回動機構７１１を２９度から３０度の範囲で周期的に回動させ、温風を第１の被乾燥範囲Ａと第２の被乾燥範囲Ｂの両方に向けて周期的に変動させながら噴出する。
【００４９】
また、操作部２０３に設けた調整スイッチ（図示せず）を操作することにより、使用者が任意に風向変更ユニット７１０の角度を変更する調整機能を備えており、使用者の体形や好みにより、温風の噴出方向を任意の方向に微調整することができる。
【００５０】
以上のように、本実施の形態における衛生洗浄装置は、お尻洗浄とビデ洗浄により洗浄水により濡れる位置が異なることを認知して、温風の噴出し方向を自動的に変更することで短時間に効率的な乾燥ができるとともに、不要な範囲へ温風を噴出することがないため省エネルギーに効果を得ることができる。
【００５１】
また、濡れていない箇所に温風を噴出しないため、使用者に必要以上の熱さを感じさせることがなく快適な使用感を提供することができる。
【００５２】
また、使用者の体形や好みに合わせて温風の噴出し方向を変更できるので、より乾燥効率を高めることができる。
【００５３】
なお、本実施の形態においては、風向変更ユニット７１０に４本の風向変更柱７０４を設置したが、設置本数は４本に限るものではなく、１本でも風向変更の効果を発揮することは可能であるので、風向変更柱７０４の数と太さは随時変更して実施することが可能である。
【００５４】
また、本実施の形態においては４本の風向変更柱７０４の太さは全て等しい直径２ｍｍとしたがこれに限るものではなく、これらの中の少なくとも１本の直径を異なるものとしてもよい。特に湾曲部７０７の最も中央側に配置する風向変更柱７０４の直径を大きくすることにより、中央側の風向が大きく変更されるため、噴出後の温風を集中させることができるため、目標位置に精度よく温風を到達させることができる。
【００５５】
（実施の形態２）
実施の形態２が実施の形態１と異なる点は、乾燥装置の構成であり、衛生洗浄装置の洗浄手段である洗浄水供給機構１０１、熱交換器１０２、洗浄ノズルユニット１０３および便蓋３００、便座４００、脱臭装置８００等の構成は実施の形態１と同様であり、詳細な説明は省略する。
【００５６】
＜２−１＞乾燥装置の構成
図８は第２の実施の形態における乾燥装置の外観を示す斜視図であり、図９は可動ノズルの収納状態を示す断面図あり、図１０は可動ノズルの突出状態を示す断面図である。
図８、図９、図１０に示すように、乾燥装置７５０は、ケース７５１、可動ノズル７５３、駆動モータ７５４、ギア機構７５５、ヒータユニット７５８、ファンモータ７５９、温風温度を検知するサーミスタ７６０等で構成されている。
【００５７】
図に示すように、乾燥装置７５０は後方から、ファンモータ７５９、ヒータユニット７５８、サーミスタ７６０、可動ノズル７５３の順に配置されており、ファンモータ７５９から送風される空気はヒータユニット７５８で暖められ、サーミスタ７６０、可動ノズル７５３内を通過して可動ノズル７５３の前端から噴出される。
【００５８】
図９に示すように、ヒータユニット７５８は、加熱手段であるヒータ線７５８ａと、温度ヒューズ７５８ｂと、サーモスタット７５８ｃで構成されており、外郭をカバーマイカ７５８ｄで覆われている。
【００５９】
螺旋状に形成したヒータ線７５８ａはカバーマイカ７５８ｄの内部の外周近傍に配置さ
れており、ヒータ線７５８ａの螺旋の中央部には、ファンモータ７５９に近い位置となる後方に温度ヒューズ７５８ｂを、前方にサーモスタット７５８ｃが配置してある。ヒータ線７５８ａと温度ヒューズ７５８ｂとサーモスタット７５８ｃは電気的に直列に接続されている。
【００６０】
ケース７５１は難燃性樹脂で成型した上ケース７５１ａと下ケース７５１ｂを上下に結合して内部に略トンネル状の空洞部を形成した構成であり、前後端には開口を備えている。ケース７５１の後部にはヒータユニット７５８とファンモータ７５９が配置してある。
【００６１】
ケース７５１の前部は断面形状が略長方形の筒状の固定ノズル７５２を形成している。固定ノズル７５２は後部より前部が下がった傾斜部７５２ａを備えており、傾斜部７５２ａの前端は本体２００の前面下部に開口している。固定ノズル７５２の内部には可動ノズル７５３が摺動自在に設置してあり、可動ノズル７５３は傾斜部７５２ａの前端開口より便器６００内に進退可能となっている。
【００６２】
傾斜部７５２ａの可動ノズル７５３と接する底面には、高さ約０．５ｍｍのリブが傾斜方向に沿って配置されており、可動ノズル７５３との間に間隙が生じる構成となっている。間隙を設けることにより、摺動抵抗を軽減するとともに、固定ノズル７５２内に進入した水が間隙を通って排出されやすい構成となっている。
【００６３】
固定ノズル７５２の傾斜部７５２ａの最上部に連接して、傾斜部７５２ａより傾斜の緩い平坦部７５２ｃが形成してあり、平坦部７５２ｃの略中央には上方に突出した略円筒状の突起部７５２ｄが形成してあり、突起部７５２ｄの略中央にサーミスタ７６０が配置されている。サーミスタ７６０を突起部７５２ｄに設けたことにより、固定ノズル７５２に水や尿が流れ込んだ場合もサーミスタ７６０にはかからない構成となっている。なお、サーミスタ７６０の温度測定部は外郭を金属で形成されている。
【００６４】
難燃樹脂で成型した可動ノズル７５３の基本形状は、底面７５３ａと、両方の側面７５３ｂと、天面７５３ｃと、前端面７５３ｄを閉塞した筒状をなしている。底面７５３ａは洗浄ノズルユニット１０３に対向する側が低くなるように湾曲した傾斜面で形成されており、天面７５３ｃの前端には、略台形形状の噴出口７５３ｅが開口している。
【００６５】
また、底面７０３ａと前端面７５３ｄの内面は曲面７５３ｆで連接しており、温風を斜め上方に滑らかに吹き出し、風量の減少を抑える構成となっている。また、曲面７５３ｆの洗浄ノズルユニット１０３に対向する側の端部には排水孔７５３ｇが設けてあり、可動ノズル７５３内に進入した水が排出できる構成となっている。
【００６６】
また、可動ノズル７５３の洗浄ノズルユニット１０３に対向する側の側面７５３ｂの前端部と前端面７５３ｄの一部は、上端が天面７５３ｃより低くなるように前端切り欠き部７５３ｊが設けてあり、可動ノズル７５３を固定ノズル７５２に収容した収納状態において、可動ノズル７５３の内部が前端切り欠き部７５３ｊと固定ノズル７５２の前端部で形成する開口部を介して外部と通気可能な構成となっている。この状態における前端切り欠き部７５３ｊと固定ノズル７５２とで形成する開口部の開口面積は噴出口７５３ｄの開口面積より小さく、３０％以下である。
【００６７】
この開口部は、可動ノズル７５３の収納状態でヒータユニット７５８とファンモータ７５９を作動させた場合に、ケース７５１内の温度が必要以上に上昇するのを防止するものであり、この状態においては、温度過昇防止手段である温度ヒューズ７５８ｂとサーモスタット７５８ｃは作動しない構成となっている。
【００６８】
また、可動ノズル７５３の外側の側面７５３ｂには略全長に亘ってラック７５３ｋが形成されている。ラック７５３ｋに対向するケース７５１の側面には、駆動モータ７５４とギア機構７５５が設置してある。駆動モータ７５４は正逆回転可能な直流モータで、駆動モータ７５４の回転は複数のギアで構成したギア機構７５５により減速して最終のピニオンギア７５５ａに伝達され、ピニオンギア７５５ａとラック７５３ｋが噛合することにより、可動ノズル７５３を進退させることができる構成となっている。
【００６９】
また、ギア機構７５５にはギアの回転を検知することにより可動ノズル７５３の移動距離を検知する移動距離検知手段（図示せず）を備えており、制御部９００は移動距離検知手段の検知データに基づき可動ノズル７５３の進出位置を制御することが可能であり、お尻洗浄後の乾燥に最適な位置と、ビデ洗浄後の乾燥に最適な位置を選択的に制御することができる。
【００７０】
以上のように構成された本実施の形態の乾燥装置は実施の形態１と同様な動作、作用を行う。
【００７１】
使用者が用便終了後に、操作スイッチ２０２によりお尻洗浄の洗浄操作を行うことにより、洗浄ノズル１０４が本体２００より進出し、洗浄水を噴出することにより使用者のお尻を洗浄し、洗浄終了の操作により局部の洗浄は終了し、洗浄ノズル１０４は本体２００内に収納される。
【００７２】
次に、操作スイッチ２０２により乾燥操作を行うと、制御部９００は乾燥装置７５０のファンモータ７５２とヒータユニット７５８への通電を制御し乾燥動作を開始する。ファンモータ７５２が吸気口７５１より吸気した空気はヒータユニット７５８へ送風され、ヒータユニット７５８で加熱された温風は噴出口７５６より噴出され、洗浄で濡れた使用者のお尻を乾燥する。
【００７３】
このとき、制御部９００は予め設定した制御条件により、可動ノズル７５３をお尻乾燥に最適なお尻乾燥位置に停止させ、噴出口７５６噴出した温風は、図７に示すように便座４００の開口後端からの距離が約６５ｍｍから約２５ｍｍで幅が約３０ｍｍの範囲となる第１の被乾燥範囲Ａに向けて噴出する。
【００７４】
一方、使用者が、洗浄ノズルユニット１０３のビデ洗浄ノズル部を使用するビデ洗浄を終了した後、操作スイッチ２０２により乾燥操作を行うと、制御部９００は予め設定した制御条件により、可動ノズル７５３をビデ乾燥に最適なビデ乾燥位置に停止させ、噴出口７５６噴出した温風は、お尻乾燥目標位置より約１５ｍｍ前方となる第２の被乾燥範囲Ｂに向けて噴出する。
【００７５】
また、使用者がお尻洗浄またはビデ洗浄を終了した後、所定時間以内（本実施の形態においては５秒間）に連続してもう一方の洗浄を開始し、お尻洗浄またはビデ洗浄を連続して行った後に、操作スイッチ２０１により乾燥操作を行うと、制御部９００は可動ノズル７５３を周期的に移動させ、第１の被乾燥範囲Ａと第２の被乾燥範囲Ｂに向けて周期的に変動させながら噴出する。
【００７６】
また、操作部２０３に設けた調整スイッチ（図示せず）を操作することにより、使用者が任意に可動ノズル７５３を任意の位置に移動する調整機能を備えており、使用者の体形や好みにより、温風の噴出する位置を任意に微調整することができる。
【００７７】
（実施の形態３）
図１１は、実施の形態３におけるノズルユニットの外観示す斜視図である。
【００７８】
本実施の形態の構成が、実施の形態１および実施の形態２を大きく異なるのは、乾燥装置の噴出口を洗浄手段のノズルユニットに一体に設けた構成となっている点である。
【００７９】
本実施の形態における乾燥装置は、乾燥風である加圧空気を供給するエアポンプ（図示せず）と、加圧空気を噴射する噴出口１３０を備えたノズルユニット１１０と、エアポンプ（図示せず）とノズルユニット１１０を接続する空気チューブ１３２で構成されている。
【００８０】
図１１に示すように、ノズルユニット１１０は、略円筒形状のノズル本体１１１の先端部に洗浄水を噴出する洗浄水噴出口１２０と、加圧空気を噴出する空気噴出口１３０が設けてあり、ノズル本体１１１の内部には洗浄水を洗浄水噴出口１２０に導く水流路１２１と、加圧空気を空気噴出口１３０に導く空気流路１３１が設けられている。
【００８１】
洗浄手段の洗浄水供給機構と熱交換器は実施の形態１と同様な構成であり熱交換器から供給された温水は切換弁（図示せず）を介して水チューブ１２２から水流路１２１に供給されるように接続され、エアポンプ５１からの加圧空気は切換弁（図示せず）を介して空気チューブ１３２から空気流路１３１に供給されるように接続されている。水チューブ１２２と空気チューブ１３２は、ノズル本体１１１が回転や前後駆動する際に、ねじれや屈曲の力が働くためゴムなどの軟質素材で構成する。
【００８２】
ノズルベース１４０は上面に前傾して構成したレール部１４１に沿ってノズル本体１１を傾斜させて配置し、ノズルベース１４０の先端に開口して配置したガイド部１４２にノズル本体１１１を通して保持する。このガイド部１４２は摺動性のよい材質で構成し、ノズル本体１１１がスムーズに回転および摺動するように適度にクリアランスを設けている。
【００８３】
また、ノズルベース１４０上面にはレール部１４１に沿ってスライドするスライダ１４３を備え、ノズル本体１１１の後端を回転自在に保持する。そしてスライダ１５２の動作に合わせてノズル本体１１１はレール部１４１に沿って摺動する。
【００８４】
進退駆動手段１５０は、前後駆動モータ１５１と、スライダ１５２とネジ部１５３により構成され、前後駆動モータ１５１は、ノズルベース１４０の後部に配置し、レール部１４１に平行に配置したネジ部１５３を正逆回転するよう接続されている。このネジ部１５３は、スライダ１５２のナット部１５４にセットされ、ネジ部１５３の回転に従ってスライダ１５２がレール部１４１上を前後に移動する。したがって、前後駆動モータ１５１の回転に合わせてスライダ１５２に保持されたノズル本体１１１が前後に進退移動する。ここでの前方向とは図１１のＣ方向を表し、後方向とはＤ方向を表しており、前方向は便座４００に着座した用便者の前面方向に対応し、後方向は用便者の背面方向に対応する。
【００８５】
揺動手段１６０は、スライダ１５２に配置した左右駆動モータ１６１、歯車ユニット１６２より成り、左右駆動モータ１６１の回転を歯車ユニット１６２介してノズル本体１１１に伝える。したがって、左右駆動モータ１６１の正逆回転に応じてノズル本体１１１が回転し、洗浄水噴出口１２０および空気噴出口から噴出する噴流は図１１のＥおよびＦの右左方向に揺動させることができる。
【００８６】
このように、本実施の形態においては、風向変更手段は進退駆動手段１５０と瑶動手段１６０により構成されている。
【００８７】
また、本実施の形態においては、お尻洗浄とビデ洗浄に使用する洗浄水は同一の洗浄水
噴出口１２０から噴出し、お尻洗浄とビデ洗浄の洗浄位置は進退駆動手段１５０により異なった位置に移動させて、それぞれの洗浄動作を行う。
【００８８】
また、エアポンプから供給される空気は加圧されたものであり、実施の形態１および実施の形態２における温風の流速が秒速１０ｍ以下であるのに対し、本実施に形態における空気噴出口１３０から噴出する加圧空気は秒速２０〜３０ｍの流速を有し、被乾燥面における当接範囲は直径１ｃｍ以下の小さな面積を備えたものであり、この当接範囲は第１の被乾燥範囲Ａおよび第２の被乾燥範囲より狭いものである。そのため、本実施の乾燥装置においては、ノズルユニット１１０の進退駆動手段１５０と瑶動手段１６０を駆動して、当接範囲を前後左右に順次移動させながら第１の被乾燥範囲Ａおよび第２の被乾燥範囲Ｂの乾燥を行う。この場合、乾燥風として使用する加圧空気は高圧で、しかも高速であるため被乾燥範囲に付着した水滴を吹き飛ばしながら短時間に乾燥させることができる。
【００８９】
以上のように構成された衛生洗浄装置について、以下その動作、作用を説明する。
【００９０】
使用者が用便終了後に、操作スイッチ２０２によりお尻洗浄の洗浄操作を行うことにより、ノズル本体１１１が本体２００より進出し、洗浄水を噴出することにより使用者のお尻を洗浄し、洗浄終了の操作により局部の洗浄は終了し、ノズル本体１１１は本体２００内に収納される。
【００９１】
次に、操作スイッチ２０２により乾燥操作を行うと、制御部９００は、前後駆動モータ１５１を運転させてノズル本体１１１を最前進位置まで前進させながら、左右駆動モータ１６１を運転させてノズル本体１１１の左右角度を右端角度まで角度変更する。
【００９２】
ノズル本体１１１がお尻乾燥の所定位置に到達すると、エアポンプの運転を開始して、被乾燥面に対して空気噴出口１３０から加圧空気の噴射を開始する。
【００９３】
そして、左右駆動モータ１６１と前後駆動モータ１５１を制御して、進退駆動手段１５０によりノズル本体１１１を図７に示す第１の被乾燥範囲Ａに対応して高速で前後に往復運転し、同時に揺動手段１６０によりノズル本体１１１第１の被乾燥範囲Ａに対応してゆっくりとの左右角度を変更させることにより、第１の被乾燥範囲Ａの全面に移動させながら乾燥風である高圧空気を噴出し、第１の被乾燥範囲Ａに付着した洗浄水を吹き飛ばすことにより、お尻洗浄により濡れたお尻を乾燥する。
【００９４】
一方、使用者が、ビデ洗浄を終了した後、操作スイッチ２０２により乾燥操作を行った場合は、実施の形態１および実施に形態２と同様に、ビデ洗浄に対応する図７に示す被乾燥範囲の全面に移動させながら乾燥風である高圧空気を噴出し、第２の被乾燥範囲Ｂに付着した洗浄水を吹き飛ばすことにより、ビデ洗浄により濡れた女性の局部を乾燥する。
【００９５】
また、使用者がお尻洗浄またはビデ洗浄を終了した後、所定時間以内（本実施の形態においては５秒間）に連続してもう一方の洗浄を開始し、お尻洗浄またはビデ洗浄を連続して行った後に、操作スイッチ２０１により乾燥操作を行うと、実施の形態１および実施に形態２と同様に、第１の被乾燥範囲Ａと第２の被乾燥範囲Ｂの全面に順次に乾燥風である高圧空気を噴出し、第１の被乾燥範囲Ａと第２の被乾燥範囲Ｂに付着した洗浄水を吹き飛ばすことにより、お尻洗浄とビデ洗浄により濡れたお尻と女性の局部を乾燥する。
【００９６】
また、操作部２０３に設けた調整スイッチ（図示せず）を操作することにより、使用者が任意にノズル本体を任意の位置に移動する調整機能を備えており、使用者の体形や好みにより、温風の噴出する位置を任意に微調整することができる。
【産業上の利用可能性】
【００９７】
以上のように、本発明にかかる衛生洗浄装置は、洗浄対象に連動して被乾燥範囲を自動的に選択することが可能となるので、他の洗浄乾燥装置の用途にも適用できる。
【符号の説明】
【００９８】
１００  衛生洗浄装置
１０１  洗浄水供給機構（洗浄手段）
１０２  熱交換器（洗浄手段）
１０３  洗浄ノズルユニット（洗浄手段）
１１０  ノズルユニット（洗浄手段、乾燥装置）
１２２  水チューブ（洗浄手段）
１３２  空気チューブ（乾燥装置）
１５０  進退駆動手段（風向変更手段）
１６０  瑶動手段（風向変更手段）
２００  本体
２０３  操作部
４００  便座
６００  便器
７００、７５０  乾燥装置
７１０  風向変更ユニット（風向変更手段）
７１１  回動機構（風向変更手段）
７５３  可動ノズル（風向変更手段）
７５４  駆動モータ（風向変更手段）
７５５  ギア機構（風向変更手段）
９００  制御部
Ａ  第１の被乾燥範囲
Ｂ  第２の被乾燥範囲
【図１１】
0005597996.tif 000002
【図１】
0005597996.tif 000003
【図２】
0005597996.tif 000004
【図３】
0005597996.tif 000005
【図４】
0005597996.tif 000006
【図５】
0005597996.tif 000007
【図６】
0005597996.tif 000008
【図７】
0005597996.tif 000009
【図８】
0005597996.tif 000010
【図９】
0005597996.tif 000011
【図１０】
0005597996.tif 000012
【図１２】
0005597996.tif 000013